(57)【要約】【課題】本発明の課題は近年室外機の設置スペースを十分にとれない場合があり、室外機本体の奥行き方向をコンパクトにしたいという課題を有していた。【解決手段】本体１と、本体１の内部の送風室２の空気吸込み面３の全面を覆うように設けられた熱交換器４とを備え、熱交換器４は上下方向に複数個に分割され、送風機用モータ６位置に相当する部分に設けられた熱交換器４ａをその他の熱交換器４ｂ及び４ｃより薄い形状とし、熱交換器４の空気吸込み面３を基準に配設して送風室２側に凹部９が形成されるように構成することにより、熱交換器４を薄くした寸法分、送風機用モータ６を熱交換器４ａに近接させることができるとともに接触するようなことはなく、室外機本体１の奥行き方向の寸法を小さくしてコンパクト化をはかることができる。【選択図】図２
2008151353.tif 000002
【特許請求の範囲】
【請求項１】
本体と、前記本体の内部に構成された送風室の空気吸込み面の全面を覆うように設けられた熱交換器と、前記熱交換器の空気吸込み面から熱交換器を通して反対側に設けた送風機と、前記送風機を駆動させるための送風機用モータとを備え、前記送風機用モータを前記熱交換器に近接させ、前記熱交換器は少なくとも前記送風機用モータが接触しないように凹部を設けたことを特徴とする空気調和機の室外機。
【請求項２】
熱交換器を上下方向に複数個に分割し、送風機用モータ位置に相当する熱交換器を他の熱交換器より薄く構成して凹部を形成したことを特徴とする請求項１に記載の空気調和機の室外機。
【請求項３】
熱交換器のフィンを切り欠いて凹部を形成したことを特徴とする請求項１に記載の空気調和機の室外機。
【請求項４】
複数列で構成される熱交換器を空気吸込み面側と送風室側とに分割し、前記送風室側に配置された熱交換器を上側熱交換器と下側熱交換器とに分割して凹部を形成したことを特徴とする請求項１に記載の空気調和機の室外機。
【発明の詳細な説明】
【技術分野】
【０００１】
本発明は空気調和機の室外機に関するものである。
【背景技術】
【０００２】
従来、一般的に空気調和機の室外機の熱交換器は本体上側から下側まで同一仕様、同一幅寸法の熱交換器で構成されるのが一般的である（例えば、特許文献１参照）。
【０００３】
図６は、特許文献１に記載された従来の空気調和機の室外機の平面断面図を示すものである。また図７は、従来の空気調和機の室外機、熱交換器の斜視図を示すものである。図６、７に示すように、本体１と、前記本体１の上側から下側までに位置し、送風室２の吸込み面３全面を覆うように設けられた熱交換器４と前記熱交換器４の空気吸込み面３から熱交換器４を通して反対側に設けた送風機５と前記送風機５を駆動させるための送風機用モータ６とまた本体１内の機械室７に設けられた圧縮機８から構成されている。
【特許文献１】特開２００５−１４７５１６号公報
【発明の開示】
【発明が解決しようとする課題】
【０００４】
しかしながら、前記従来の構成では、輸送時の落下や振動による熱交換器の損傷や熱交換器と送風機用モータの接触による運転異常音などを防止するため熱交換器と送風機用モータの間にある程度の隙間を設ける必要がある。しかし近年室外機の設置スペースを十分にとれない場合があり、室外機本体の奥行き方向をコンパクトにしたいという課題を有していた。
【０００５】
本発明は、前記従来の課題を解決するもので、熱交換器の形状、編成を変化させることにより熱交換器と送風機用モータの間に必要な隙間を最小限に抑えることで室外機本体の奥行き方向をコンパクト化された空気調和機の室外機を提供することを目的とする。
【課題を解決するための手段】
【０００６】
前記従来の課題を解決するために、本発明の空気調和機の室外機は、本体と、前記本体の内部の送風室の空気吸込み面の全面を覆うように設けられた熱交換器と、前記熱交換器の空気吸込み面から熱交換器を通して反対側に設けた送風機と、前記送風機を駆動させるための送風機用モータとを備え、前記送風機用モータを前記熱交換器に近接させ、前記熱交換器は少なくとも前記送風機用モータが接触しないように凹部を設けたものである。これにより、送風機用モータを熱交換器の凹部に埋め込むように配設できるので、室外機本体全体の奥行き方向寸法のコンパクト化をはかることができる。
【発明の効果】
【０００７】
本発明の空気調和機の室外機は、熱交換器の形状、編成を変化させることにより熱交換器と送風機用モータの間に必要な隙間を最小限に抑えることで室外機本体の奥行き方向をコンパクト化することができる。
【発明を実施するための最良の形態】
【０００８】
第１の発明は、本体と、前記本体の内部に構成された送風室の空気吸込み面の全面を覆うように設けられた熱交換器と、前記熱交換器の空気吸込み面から熱交換器を通して反対側に設けた送風機と、前記送風機を駆動させるための送風機用モータとを備え、前記送風機用モータを前記熱交換器に近接させ、前記熱交換器は少なくとも前記送風機用モータが接触しないように凹部を設けたものである。これにより、送風機用モータを熱交換器の凹
部に埋め込むように配設できるので、室外機本体全体の奥行き方向寸法のコンパクト化をはかることができる。
【０００９】
第２の発明は、特に、第１の発明において、熱交換器を上下方向に複数個に分割し、送風機用モータ位置に相当する熱交換器を他の熱交換器より薄く構成して凹部を形成したもので、熱交換器を縦方向に積み上げることの組合せで凹部を構成することができて組合せも任意とすることができる。
【００１０】
第３の発明は、特に、第１の発明において、熱交換器のフィンを切り欠いて凹部を形成したもので、送風機用モータ位置に相当する近傍だけのフィンを切り欠くだけで良く、凹部形成に伴う熱交換器能力の低下を抑制することができる。
【００１１】
第４の発明は、特に、第１の発明において、複数列で構成される熱交換器を空気吸込み面側と送風室側とに分割し、前記送風室側に配置された熱交換器を上側熱交換器と下側熱交換器とに分割して凹部を形成したもので、基板となる空気吸込み側の熱交換器に、送風機用モータ位置の近傍を避けて、上側熱交換器と下側熱交換器とを任意に組み合わせて、凹部を有する室外機の熱交換器を構成することができる。
【００１２】
以下に本発明の実施の形態について図面を参照しながら説明する。
【００１３】
（実施の形態１）
図１は、本発明の第１の実施の形態における空気調和機の室外機平面の断面図である。図２は本室外機の右側面の断面図である。図３は本室外機に搭載される熱交換器の斜視図である。
【００１４】
図１から図３において、本空気調和機の室外機は、本体１と、本体１の内部に構成された送風室２の吸込み面３の全面を覆うように設けられた熱交換器４と、熱交換器４の空気吸込み面３から熱交換器４を通して反対側に設けた送風ファン５と、送風ファン５を駆動させるための送風機用モータ６と、本体１内の機械室７に設けられた圧縮機８から構成されている。さらに、熱交換器４は上下方向に複数個に分割され、特に、送風機用モータ６位置に相当する部分に設けられた熱交換器４ａをその他の熱交換器４ｂ及び４ｃより薄い形状とし、熱交換器４の空気吸込み面３を基準に配設して送風室２側に凹部９が形成されるように構成されている。
【００１５】
以上のように構成したことにより、熱交換器４ａにおいて薄くした寸法分、送風機用モータ６を熱交換器４ａに近接させることができるとともに接触するようなことはなく、室外機本体１の奥行き方向の寸法を小さくしてコンパクト化をはかることができる。
【００１６】
なお、熱交換器４ａを薄い形状とする方法は、図２に示すような熱伝導管１０の間隔を小さくする方法の他に、複数ある列を削減する方法や、同じ列数でも熱伝導管１０に細管を採用する方法などがあり、特に限定するものではない。
【００１７】
（実施の形態２）
図４は、本発明の第２の実施の形態における空気調和機の室外機右側面の断面図である。図４において、熱交換器４のフィン１１を、送風機用モータ６が位置する近傍に切り欠き１２を施して、熱交換器４を吸込み側に向かって一部分を窪ませること凹部９を形成している。
【００１８】
この構成により、凹部９としてに窪ませた寸法分、送風機用モータ６を熱交換器４に近接させることができるとともに接触するようなことはなく、室外機本体１の奥行き方向の
寸法を小さくしてコンパクト化をはかることができる。また、送風機用モータ６の位置に相当する近傍だけのフィン１１を切り欠くだけで良く、凹部９の形成に伴う熱交換器能力の低下を抑制することができる。
【００１９】
（実施の形態３）
図５は、本発明の第３の実施の形態における空気調和機の室外機右側面の断面図である。図５において、複数列で構成された熱交換器４で前記空気吸込み面３側の熱交換器４ｄは上側から下側まで一体に位置し、送風室２の吸込み面３の全面を覆うように配設される。そして、送風室２側においては、送風機用モータ６に位置する部分の１列を除いて上側熱交換器４ｅと下側熱交換器４ｆに分割し、送風機用モータ６が位置する部分に凹部９を形成している。
【００２０】
この構成により、熱交換器４の１列の寸法分、送風機用モータ６を熱交換器４に近接させることができるとともに接触するようなことはなく、室外機本体１の奥行き方向の寸法を小さくしてコンパクト化をはかることができる。
【産業上の利用可能性】
【００２１】
以上のように、本発明にかかる空気調和機の室外機は、室外機本体を送風機用モータ取り付部に当たる部分の熱交換器の形状を薄くして凹部９を形成することで、熱交換器を薄くした寸法分、送風機用モータを熱交換器４に近接させることができるとともに接触するようなことはなく、室外機本体の奥行き方向の寸法を小さくしてコンパクト化をはかることが可能で、室外機の設置場所の制約を緩和させることができる。
【図面の簡単な説明】
【００２２】
【図１】本発明の実施の形態１おける空気調和機の室外機の平面断面図
【図２】同室外機の右側面断面図
【図３】同室外機に搭載される熱交換器の斜視図
【図４】本発明の実施の形態２における空気調和機の右側面断面図
【図５】本発明の実施の形態３における空気調和機の右側面断面図
【図６】従来の空気調和機の室外機の平面断面図
【図７】従来の空気調和機の室外機に搭載される熱交換器の斜視図
【符号の説明】
【００２３】
１  本体
２  送風室
３  吸込み面
４  熱交換器
４ａ  熱交換器
４ｂ  熱交換器
４ｃ  熱交換器
４ｄ  吸込面側熱交換器
４ｅ  上側熱交換器
４ｆ  下側熱交換器
６  送風機用モータ
９  凹部
１１  フィン
１２  切り欠き
【図１】
2008151353.tif 000003
【図２】
2008151353.tif 000004
【図３】
2008151353.tif 000005
【図４】
2008151353.tif 000006
【図５】
2008151353.tif 000007
【図６】
2008151353.tif 000008
【図７】
2008151353.tif 000009